(57)【要約】【課題】衣類が不適切な液体洗剤で洗濯される事の無い使用勝手のよい洗濯機を提供する。【解決手段】洗濯兼脱水槽（図示せず）と、液体洗剤を溜めておく洗剤タンク（図示せず）と、前記液体洗剤を前記洗濯兼脱水槽内に投入するエアポンプ１８と、洗濯工程の動作時間や洗濯コース等を設定する入力設定手段２４と、前記入力設定手段２４で設定された洗濯コースに応じて、前記液体洗剤の投入量を変更するように前記エアポンプ１８を制御するもので、選択された洗濯コース毎に最適な液体洗剤の自動投入を行う使用勝手の良い洗濯機を提供することができる。【選択図】図１
2005224271.tif 000002
【特許請求の範囲】
【請求項１】
洗濯兼脱水槽と、液体洗剤を溜めておく洗剤タンクと、前記液体洗剤を前記洗濯兼脱水槽内に投入する投入手段と、洗濯工程の動作時間や洗濯コース等を設定する入力設定手段と、前記入力設定手段で設定された洗濯コースに応じて、前記液体洗剤の投入量を変更するように前記投入手段を制御することを特徴とする洗濯機。
【請求項２】
洗濯コース毎に、入力設定手段により液体洗剤の投入量を変更できるようにした請求項１記載の洗濯機。
【請求項３】
液体洗剤の使用が不適切な洗濯コースが設定された場合に、前記液体洗剤の投入を行わないように制御する請求項１又は２記載の洗濯機。
【請求項４】
複数の発光体から構成されるとともに入力設定手段で設定された設定内容を表示する表示手段を設け、設定された洗濯コースによって、液体洗剤の投入を行うことを前記表示手段で警告表示するようにした請求項１〜３のいずれか１項記載の洗濯機。
【請求項５】
表示手段は、設定された液体洗剤の投入量を表示する洗剤投入表示部を有し、前記洗剤投入表示部を点滅させて警告表示するようにした請求項４記載の洗濯機。
【請求項６】
洗剤投入表示部を通常よりも高速で点滅させて、警告表示するようにした請求項５記載の洗濯機。
【請求項７】
表示手段の洗剤投入表示部と他の表示部とを交互に点滅させて警告表示を行うようにした請求項４記載の洗濯機。
【請求項８】
音を発するブザーを設け、洗濯コースによって、液体洗剤の投入を行うことを前記ブザーを鳴らすことで警告するようにした請求項１〜３のいずれか１項記載の洗濯機。
【請求項９】
液体洗剤投入を行うことを警告した後、一定時間経過した後、液体洗剤を投入するように制御する請求項４又は８記載の洗濯機。
【発明の詳細な説明】
【技術分野】
【０００１】
本発明は、洗濯兼脱水槽内に自動的に液体洗剤を投入する機能を備えた洗濯機に関するものである。
【背景技術】
【０００２】
従来のこの種の洗濯機について図７を用いて説明する。
【０００３】
図７において、洗濯兼脱水槽１は、内底面に撹拌翼２を回転自在に配設し、この洗濯兼脱水槽１の外側に水受け槽３を設けている。水受け槽３の底面に洗濯兼脱水槽１と撹拌翼２を駆動するモータ４を取り付け、駆動部（図示せず）の切り換えを行うクラッチ装置５を介して洗濯兼脱水槽１または撹拌翼２を駆動するように構成している。また、水受け槽３は、外郭６にサスペンション７を介して防振支持されている。洗濯兼脱水槽１の上部には、液体を内封した流体バランサー８を固定し、水受け槽３の上面は、水受け槽カバー９によって覆われている。
【０００４】
水受け槽３を防振支持している外郭６の上部は、制御装置１０、給水弁１１、給水経路１２等を収納した外郭カバー１３によって覆われている。外郭カバー１３の略中央には、衣類の出し入れを行う開口部１３ａを有し、この開口部１３ａは、蓋体１４で開閉自在に覆われている。
【０００５】
また、外郭カバー１３内には液体洗剤１５を溜めた洗剤タンク１６を設け、この洗剤タンク１６の上部にはエアホース１７を介して洗剤タンク１６内に空気を送り込むエアポンプ１８を接続している。また、洗剤タンク１６の下部には給水経路１２近傍まで液体洗剤１５を導く洗剤ホース１９を接続している。なお、液体洗剤１５は、洗剤タンク蓋１６ａを開けて洗剤タンク１６内に補充可能である。２０は、洗濯やすすぎを終えたあとの水を排出する際に開放される排水弁である。
【０００６】
制御装置１０は、エアポンプ１８の動作を制御して洗剤タンク１６内の液体洗剤１５を洗濯兼脱水槽１内に投入するとともに、モータ４、クラッチ装置５、給水弁１１、排水弁２０などの動作を制御し、洗濯、すすぎ、脱水の一連の行程を逐次制御するよう構成している。
【０００７】
上記構成において動作を説明する。洗濯行程では、洗濯兼脱水槽１内に投入された衣類等の洗濯物の量に適した水量を給水弁１１から給水経路１２を通して水受け槽３に給水する。また、衣類投入時または給水時とほぼ同時にエアポンプ１８に通電してエアホース１７を介して洗剤タンク１６の上部へ空気を送る。これにより、洗剤タンク１６の内部の圧力が高くなり、洗剤タンク１６内の液体洗剤１５は洗剤ホース１９を通って液体洗剤排出口１９ａから給水経路１２近傍へ押し出され、給水弁１１から流入する水とともに洗濯兼脱水槽１内に投入される。
【０００８】
液体洗剤１５が投入され、所定の水位まで給水されると、撹拌翼２による撹拌を行い、衣類の汚れを除去する行程へと進む。このとき、洗濯兼脱水槽１に投入する液体洗剤１５は、洗濯する衣類の量、または給水する水量に合わせて自動的に適量が投入されるようエアポンプ１８に通電する時間の長さを変えることによって調節する（例えば、特許文献１参照）。
【特許文献１】特開２００２−３２０７９３号公報
【発明の開示】
【発明が解決しようとする課題】
【０００９】
一般に、液体洗剤には弱アルカリ性のものと中性のものがあり、種類に応じて衣類に最適な品種が種々ある。例えば一般の綿や化繊からなる衣類では弱アルカリの洗剤が適しており、毛からなる衣類では中性洗剤が適している。従来の構成では、衣類によって最適な洗濯コースを選ぶことはできるが、洗濯コースによらずに液体洗剤が投入されることで、衣類に対して縮みなどの不具合を発生させるという問題を有していた。
【００１０】
本発明は上記従来の課題を解決するもので、衣類が不適切な液体洗剤で洗濯される事の無い使用勝手のよい洗濯機を提供することを目的とする。
【課題を解決するための手段】
【００１１】
前記従来の課題を解決するために、本発明の洗濯機は、洗濯兼脱水槽と、液体洗剤を溜めておく洗剤タンクと、前記液体洗剤を前記洗濯兼脱水槽内に投入する投入手段と、洗濯工程の動作時間や洗濯コース等を設定する入力設定手段と、前記入力設定手段で設定された洗濯コースに応じて、前記液体洗剤の投入量を変更するように前記投入手段を制御するもので、洗濯コース毎に最適な量の液体洗剤が自動投入されるので、使用勝手が良い洗濯機を提供することができる。また、洗濯コースによっては、液体洗剤が投入されないようにすれば、うっかり操作による衣類の縮みを防止することができる。
【発明の効果】
【００１２】
本発明の洗濯機は、選択された洗濯コースに応じて液体洗剤の投入量が最適なものに変更されるので、使用勝手が良く、また、選択コースによっては液体洗剤が投入されないようにすれば、衣類を使用すべきでない液体洗剤でうっかり洗濯することによる衣類の縮みを防止することができる。
【発明を実施するための最良の形態】
【００１３】
第１の発明は、洗濯兼脱水槽と、液体洗剤を溜めておく洗剤タンクと、前記液体洗剤を前記洗濯兼脱水槽内に投入する投入手段と、洗濯工程の動作時間や洗濯コース等を設定する入力設定手段と、前記入力設定手段で設定された洗濯コースに応じて、前記液体洗剤の投入量を変更するように前記投入手段を制御するもので、洗濯コース毎に最適な量の液体洗剤が自動投入されるので、使用勝手が良い洗濯機を提供することができる。また、洗濯コースによっては、液体洗剤が投入されないようにすれば、うっかり操作による衣類の縮みを防止することができる。
【００１４】
第２の発明は、特に、第１の発明の洗濯コース毎に、入力設定手段により液体洗剤の投入量を変更できるようにしたもので、洗濯コースによって最適な液体洗剤の投入量が設定でき、各洗濯コース毎に最適な洗浄性能を得ることができる。
【００１５】
第３の発明は、特に、第１又は第２の発明の液体洗剤の使用が不適切な洗濯コースが設定された場合に、前記液体洗剤の投入を行わないように制御するもので、液体洗剤の自動投入による衣類の縮みを防ぐ洗濯機を提供できる。
【００１６】
第４の発明は、特に、第１〜３のいずれか１つの発明の洗濯機に、複数の発光体から構成されるとともに入力設定手段で設定された設定内容を表示する表示手段を設け、設定された洗濯コースによって、液体洗剤の投入を行うことを前記表示手段で警告表示するようにしたもので、衣類と洗剤の組合せがよいかどうかを洗濯運転開始前に使用者に確認させることができ、不適当な洗剤の投入による衣類の損傷を防止する事ができる洗濯機を提供できる。
【００１７】
第５の発明は、特に、第４の発明の表示手段は、設定された液体洗剤の投入量を表示する洗剤投入表示部を有し、前記洗剤投入表示部を点滅させて警告表示するようにしたもので、点滅により使用者の注意をより引くとともに、洗剤投入表示部の点滅で、使用者は、なにを確認しなければならないか、容易に判断する事ができる。
【００１８】
第６の発明は、特に、第５の発明の洗剤投入表示部を通常よりも高速で点滅させて、警告表示するようにしたもので、使用者に対してその洗剤投入を行ってもよいかどうかをより明確に警告表示することができる。
【００１９】
第７の発明は、特に、第４の発明の表示手段の洗剤投入表示部と他の表示部とを交互に点滅させて警告表示を行うようにしたもので、表示部の広い範囲に渡って点滅するので、使用者に対してその洗剤投入を行ってもよいかどうかをより明確に警告表示でき、うっかり確認しないまま運転を開始することを確実に予防できる。
【００２０】
第８の発明は、特に、第１〜３のいずれか１つの発明の洗濯機に音を発するブザーを設け、洗濯コースによって、液体洗剤の投入を行うことを前記ブザーを鳴らすことで警告するようにしたもので、衣類とその洗剤の組合せがよいかどうかを洗濯運転前に、離れた所に居る使用者にも確実に注意を促し、確認させることができる洗濯機を提供できる。
【００２１】
第９の発明は、特に、第４又は第８の液体洗剤投入を行うことを警告した後、一定時間経過した後、液体洗剤を投入するように制御するもので、警告表示またはブザーで衣類とその洗剤の組合せがよいかどうかを洗濯運転前に使用者に確認させた後、使用者に運転内容を変更するのに必要な時間を与えることができ、また変更の必要が無い時には自動的にそのままの設定が確定する使いやすい洗濯機を提供することができる。
【００２２】
以下、本発明の実施の形態について、図面を参照しながら説明する。なお、この実施の形態によって本発明が限定されるものではない。
【００２３】
（実施の形態１）
以下に、本発明の第１の実施の形態における洗濯機について、図１〜４を用いて説明する。なお、従来例と同一部分については同一符号を付してその説明を省略する。
【００２４】
図１は、本実施の形態における洗濯機の回路を示すブロック図である。図１において、２１は、制御装置（図７中の符号１０に相当）で、マイクロコンピュータで構成した制御手段２２を有し、制御手段２２は、パワースイッチング手段２３を介して、液体洗剤１５の投入手段であるエアポンプ（ポンプ）１８の動作を制御して洗剤タンク１６内の液体洗剤１５を洗濯兼脱水槽１内に投入するとともに、モータ４、クラッチ装置５、給水弁１１、排水弁２０などの動作を制御し、洗濯、すすぎ、脱水の一連の行程を逐次制御するように構成されている。入力設定手段２４は使用者が入力操作するもので、制御手段２２に指示を与え、表示手段２５は、制御手段２２の出力により表示動作を行う。
【００２５】
水位検知手段２６は洗濯兼脱水槽１の水位を検知するものである。回転数検知手段２７は、モータ４の回転数に応じたパルスを出力するもので、この回転数検知手段２７の出力は制御手段２２に入力され、制御手段２２は洗濯兼脱水槽１内の洗濯物の量を検知する機能を有している。
【００２６】
記憶手段２８は、制御手段２２により一連の行程を逐次制御するのに必要なデータを記憶している。不揮発性メモリ２９は、電源をオフしても記憶内容を保持するもので、この不揮発性メモリ２９は、入力設定手段２４により設定した液体洗剤の種類、洗濯兼脱水槽内へ投入する洗剤量加減量を記憶するようにしている。ブザー３０は制御手段２２からの信号でブザー音を鳴らすものである。なお、３１は商用電源である。
【００２７】
入力設定手段２４は、図２に示すように、水位設定スイッチ２４ａ、洗剤投入設定スイッチ２４ｂ、洗い時間設定スイッチ２４ｃ、すすぎ回数設定スイッチ２４ｄ、脱水時間設定スイッチ２４ｅ、コース設定スイッチ２４ｆ、スタート／一時停止スイッチ２４ｇ、電源入スイッチ２４ｈ、電源切スイッチ２４ｉなどで構成されている。
【００２８】
表示手段２５は、それぞれ発光ダイオード等の発光体（以下「ランプ」という）からなり、水位表示部２５ａ、洗剤投入表示部２５ｂ、洗い時間表示部２５ｃ、すすぎ回数表示部２５ｄ、脱水時間表示部２５ｅ、コース表示部２５ｆなどで構成されている。
【００２９】
洗剤投入設定スイッチ２４ｂは、洗剤タンク１６に溜めておき、洗濯兼脱水槽１に投入される液体洗剤１５の種類として、「洗剤Ａ」、「洗剤Ｂ」の２種類を設定できるとともに、各洗剤の投入量を「多め」に増量できるように設定でき、この設定した状態を洗剤投入表示部２５ｂに表示するようにし、さらに、不揮発性メモリ２９に記憶するようにしている。
【００３０】
ここで、「洗剤Ａ」は、例えば水３０リットルに対して、液体洗剤を１５ミリリットル投入することで所定の洗浄性能を得ることができ、「洗剤Ｂ」は、例えば水３０リットルに対して、液体洗剤を２０ミリリットル投入することで所定の洗浄性能を得ることができるものである。また、「多め」に設定したときは、それぞれの液体洗剤を「多め」に設定しないときの１．２５倍の洗剤量に増量して投入できるようにしている。
【００３１】
つぎに、洗剤投入の初期設定では、「洗剤Ａ」を投入するよう設定されており、電源入スイッチ２４ｈにより電源を投入したとき、図３（ａ）に示すように、洗剤投入表示部２５ｂのランプｂ１だけが点灯する状態になっている。この状態で、洗剤投入設定スイッチ２４ｂを押すと、「洗剤Ｂ」を投入するよう設定され、図３（ｂ）に示すように、洗剤投入表示部２５ｂのランプｂ２だけが点灯する。この状態で、さらに洗剤投入設定スイッチ２４ｂを押すと、「洗剤Ａ」を「多め」に投入するように設定され、図３（ｃ）に示すように、洗剤投入表示部２５ｂのランプｂ１とｂ３の両方が点灯する。
【００３２】
この状態で、さらに洗剤投入設定スイッチ２４ｂを押すと、「洗剤Ｂ」を「多め」に投入するよう設定され、図３（ｄ）に示すように、洗剤投入表示部２５ｂのランプｂ２とｂ３の両方が点灯する。この状態で、さらに洗剤投入設定スイッチ２４ｂを押すと、洗剤自動投入が行なわれないように設定され、図３（ｅ）に示すように、洗剤投入表示部２５ｂのすべてのランプが消灯する。この状態で、洗剤投入設定スイッチ２４ｂを押すと、図３（ａ）に示される状態に戻る。
【００３３】
このようにして洗剤投入設定スイッチ２４ｂにより、液体洗剤１５の種類、洗濯兼脱水槽１内へ投入する洗剤量の増量などを設定し、スタート／一時停止スイッチ２４ｇをオンすると、不揮発性メモリ２９に設定した内容が記憶されるようにしている。
【００３４】
上記構成において動作を説明する。「洗剤Ａ」を使用して洗濯するときは、液体洗剤１５として洗剤タンク１６内に「洗剤Ａ」を入れ、洗濯兼脱水槽１内に洗濯物を投入し、電源入スイッチ２４ｈにより電源を投入すると、洗剤投入の初期設定は「洗剤Ａ」を投入するよう設定されているので、図３（ａ）に示すように、洗剤投入表示部２５ｂのランプｂ１だけが点灯した状態になっている。
【００３５】
この状態で、コース設定スイッチ２４ｆで、たとえば、「おまかせ」コースを設定し、または洗い時間設定スイッチ２４ｃ、すすぎ回数設定スイッチ２４ｄ、脱水時間設定スイッチ２４ｅにより洗い時間、すすぎ回数、脱水時間を個別に設定し、スタート／一時停止スイッチ２４ｇをオンして運転を開始すると、不揮発性メモリ２９に洗剤投入の設定内容、すなわち、「洗剤Ａ」を記憶する。
【００３６】
これと同時に、モータ４をオンして撹拌翼２を回転させ、撹拌翼２を所定時間回転させた後、オフしたときの惰性回転時に回転数検知手段２７により検知したパルス数を制御手段２２に入力し、洗濯兼脱水槽１に投入された洗濯物の量を検知する。
【００３７】
この検知した洗濯物の量に基づいて、制御手段２２は洗濯兼脱水槽１内に給水する水位を決定し、水位表示部２５ａに表示する。そして、給水弁１１を開いて給水を開始するとほぼ同時にモータ４を駆動して洗濯兼脱水槽１を回転させながら、エアポンプ１８をオンして洗剤タンク１６内の液体洗剤１５を、洗濯兼脱水槽１内に給水する水量に応じて投入する。
【００３８】
ここでは、「洗剤Ａ」を投入する設定をしているので、水３０リットルに対して「洗剤Ａ」を１５ミリリットルの比率で投入する。このときの洗剤投入量はエアポンプ１８の駆動時間により制御する。また、このとき、洗濯兼脱水槽１を回転させているので、液体洗剤１５を一箇所に集中することなく分散して投入することができる。液体洗剤１５が投入され、所定の水位まで給水されると水位検知手段２６により検知し、給水を止めて撹拌翼２による撹拌を行い、衣類の汚れを除去する行程へと進み、つづいてすすぎ行程、脱水行程を行う。
【００３９】
次回運転時には、電源入スイッチ２４ｈにより電源を投入すると、不揮発性メモリ２９に「洗剤Ａ」を記憶しているので、洗剤投入表示部２５ｂのランプｂ１だけが点灯した状態になっており、「洗剤Ａ」で洗濯することかできる。
【００４０】
つぎに、液体洗剤１５として「洗剤Ａ」を使用し、汚れがひどい洗濯物を洗濯するときは、電源を投入すると洗剤投入表示部２５ｂには、前回の運転時に不揮発性メモリ２９に記憶された内容が表示されるが、洗剤投入設定スイッチ２４ｂを押して、「洗剤Ａ」を１．２５倍に増量して投入するように「多め」設定すると、図３（ｃ）に示すように、洗剤投入表示部２５ｂのランプｂ１、ｂ３が点灯した状態になる。この状態で、コース設定スイッチ２４ｆで所定のコースを設定し、スタート／一時停止スイッチ２４ｇをオンして運転を開始すると、不揮発性メモリ２９に洗剤投入の設定内容、すなわち、「洗剤Ａ」を「多め」に投入する設定を記憶する。
【００４１】
そして、洗濯兼脱水槽１に投入した洗濯物の量を検知し、検知した洗濯物の量に基づいて、制御手段２２は洗濯兼脱水槽１内に給水する水位を決定し、水位表示部２５ａに表示する。そして、給水弁１１を開いて給水を開始するとほぼ同時にモータ４を駆動して洗濯兼脱水槽１を回転させながら、エアポンプ１８をオンして洗剤タンク１６内の液体洗剤１５を、洗濯兼脱水槽１内に給水する水量に応じた洗剤量に対して増量させて投入する。
【００４２】
ここでは、「洗剤Ａ」を「多め」に投入する設定をしているので、水３０リットルに対して「洗剤Ａ」を１５ミリリットルの比率で、かつその１．２５倍の洗剤量を投入する。液体洗剤１５が投入され、所定の水位まで給水されると水位検知手段２６により検知し、給水を止めて撹拌翼２による撹拌を行い、衣類の汚れを除去する行程へと進み、つづいてすすぎ行程、脱水行程を行う。
【００４３】
次回運転時には、電源入スイッチ２４ｈにより電源を投入すると、不揮発性メモリ２９には「洗剤Ａ」を「多め」に投入する設定を記憶しているので、洗剤投入表示部２５ｂのランプｂ１、ｂ３が点灯した状態になっており、「洗剤Ａ」を「多め」に投入して洗濯することができる。
【００４４】
つぎに、液体洗剤１５として「洗剤Ｂ」を使用して洗濯するときは、液体洗剤１５として洗剤ケース１６内に「洗剤Ｂ」を入れ、洗濯兼脱水槽１内に洗濯物を投入し、電源入スイッチ２４ｈにより電源を投入すると、洗剤投入表示部２５ｂには、前回の運転時に不揮発性メモリ２９に記憶された内容が表示されるが、洗剤投入設定スイッチ２４ｂを押して、「洗剤Ｂ」を投入するように設定すると、図３（ｂ）に示すように、洗剤投入表示部２５ｂのランプｂ２のみが点灯した状態になる。この状態で、コース設定スイッチ２４ｆで所定のコースを設定し、スタート／一時停止スイッチ２４ｇをオンして運転を開始すると、不揮発性メモリ２９に洗剤投入の設定内容、すなわち、「洗剤Ｂ」を投入する設定が記憶される。
【００４５】
以下、同様にして、「洗剤Ｂ」を投入して洗濯することができ、次回運転時には、電源入スイッチ２４ｈにより電源を投入すると、不揮発性メモリ２９には「洗剤Ｂ」を投入する設定を記憶しているので、洗剤投入表示部２５ｂのランプｂ２のみが点灯した状態になっており、「洗剤Ｂ」を投入して洗濯することかできる。
【００４６】
つぎに、液体洗剤１５として「洗剤Ｂ」を使用し、汚れがひどい洗濯物を洗濯するときは、電源を投入すると洗剤投入表示部２５ｂには、前回の運転時に不揮発性メモリ２９に記憶された内容が表示されるが、洗剤投入設定スイッチ２４ｂを押して、「洗剤Ｂ」を１．２５倍に増量して投入するように「多め」設定すると、図３（ｄ）に示すように、洗剤投入表示部２５ｂのランプｂ２、ｂ３が点灯した状態になる。この状態で、コース設定スイッチ２４ｆで所定のコースを設定し、スタート／一時停止スイッチ２４ｇをオンして運転を開始すると、不揮発性メモリ２９に洗剤投入の設定内容、すなわち、「洗剤Ｂ」を「多め」に投入する設定が記憶される。
【００４７】
以下、同様にして、「洗剤Ｂ」を１．２５倍に増量して投入し、洗濯することができ、次回運転時に、電源入スイッチ２４ｈにより電源を投入すると、不揮発性メモリ２９には「洗剤Ｂ」を「多め」に投入する設定を記憶しているので、洗剤投入表示部２５ｂのランプｂ２、ｂ３が点灯した状態になっており、「洗剤Ｂ」を１．２５倍に増量して投入し、洗濯することができる。
【００４８】
ところで、液体洗剤には通常の衣類等を洗濯するのに適した弱アルカリ性のものと、毛製品を洗濯するのに適した中性のものがある。羽毛毛布やセーター等の毛製品を中性の洗剤で洗濯すると、縮みが発生することがある。このため、洗濯コースの中の「毛布」コースでは、毛布の種類と液体洗剤の種類を確認してから洗濯を行う必要がある。
【００４９】
また、「ゴシゴシ」コースでは、当初から汚れの程度が大きい衣類を洗濯することが前提であるので、液体洗剤を多めに使用する方が有利である。
【００５０】
このように洗濯を行う際の洗濯コースに応じて、液体洗剤投入の制御内容を変更することで、縮み等の不具合を防ぎ、より最適な液体洗剤投入方法を提供することができる。
【００５１】
次に、洗剤投入表示部２５ｂとコース設定スイッチ２４ｆとコース表示部２５ｆの動作の一例を図４を用いて説明する。
【００５２】
例えば、電源入スイッチ２４ｈにより電源を投入した時、図４（ａ）のように洗剤投入表示部２５ｂは「洗剤Ａ」が投入されるようランプｂ１だけが点灯しており、コース表示部２５ｆのランプｆ１が点灯して「おまかせ」コースに設定されているとする。この状態で、コース設定スイッチ２４ｆを押すと、図４（ｂ）のようにコース表示部２５ｆのランプｆ２が点灯して「ハイスピード」コースに変更され、洗剤投入表示部２５ｂは変化せず「洗剤Ａ」が投入されるようランプｂ１が点灯した状態になる。この状態で、さらにコース設定スイッチ２４ｆを押すと、図４（ｃ）のようにコース表示部２５ｆのランプｆ３が点灯して「ゴシゴシ」コースに変更され、洗剤投入表示部２５ｂは「洗剤Ａ」を「多め」に投入するようランプｂ１とランプｂ３が点灯した状態になる。
【００５３】
この状態で、さらに設定スイッチ２４ｆを押すと、図４（ｄ）のようにコース表示部２５ｆのランプｆ４が点灯して「毛布」コースに変更され、洗剤投入表示部２５ｂは洗剤が投入されないようランプｂ１、ｂ２、ｂ３がすべて消灯した状態になる。この図４（ｄ）の状態でスタート／一時停止スイッチ２４ｇを押すと、液体洗剤は自動投入されずに「毛布」コースの運転が始まる。
【００５４】
また、図４（ｄ）の状態で、使用者が液体洗剤を自動投入したいと考えるなら、この状態で洗剤投入設定スイッチ２４ｂを押すと、図４（ｅ）のようにコース表示部２５ｆのランプｆ４が点灯した「毛布」コースのままで、洗剤投入表示部２５ｂは「洗剤Ａ」を投入するようランプｂ１が点灯した状態になる。
【００５５】
この図４（ｅ）の状態でスタート／一時停止スイッチ２４ｇを押すと、液体洗剤は自動投入されて「毛布」コースの運転が始まる。
【００５６】
このように、汚れ具合の多い衣類を洗濯する場合には図４（ｃ）のように「ゴシゴシ」コースを選んだ時に自動的に液体洗剤を多めに自動投入するように設定し、また羽毛毛布のように弱アルカリ洗剤で洗うと縮みなどの不具合が発生する可能性のある場合には、図４（ｄ）のように「毛布」コースを選んだ時に液体洗剤を自動投入しないように設定することができる。また、羽毛毛布でない通常の毛布の時には、液体洗剤を自動投入した方がいいので、図４（ｄ）から図４（ｅ）のように液体洗剤が自動投入されるよう設定を変更することができる。
【００５７】
また、これらのコース毎の液体洗剤１５の自動投入方法を設定して、スタート／一時停止スイッチ２４ｇを押して洗濯運転を開始すると、制御手段２２から不揮発性メモリ２９に設定情報を送って設定した内容が記憶され、次回の洗濯設定時に、記憶された設定内容通りに洗剤投入表示部２５ｂを表示させることができる。
【００５８】
（実施の形態２）
図５は、本発明の第２の実施の形態における洗濯機の洗剤投入表示部、コース設定スイッチ、コース表示部を示す図である。なお、上記実施の形態と同一部分については同一符号を付してその説明を省略する。
【００５９】
例えば、電源入スイッチ２４ｈにより電源を投入した時、図５（ａ）のように洗剤投入表示部２５ｂは「洗剤Ａ」が投入されるようランプｂ１だけが点灯しており、コース表示部２５ｆのランプｆ１が点灯して「おまかせ」コースに設定されているとする。この状態で、コース設定スイッチ２４ｆを押すと、図５（ｂ）のようにコース表示部２５ｆのランプｆ２が点灯して「ハイスピード」コースに変更され、洗剤投入表示部２５ｂは変化せず「洗剤Ａ」が投入されるようランプｂ１が点灯した状態になる。この状態で、さらにコース設定スイッチ２４ｆを押すと、図５（ｃ）のようにコース表示部２５ｆのランプｆ３が点灯して「ゴシゴシ」コースに変更され、洗剤投入表示部２５ｂは「洗剤Ａ」を「多め」に投入するようランプｂ１とランプｂ３が点灯した状態になる。
【００６０】
ここまでの動作は、上記第１の実施の形態と同じである。
【００６１】
この状態で、さらにコース設定スイッチ２４ｆを押すと、図５（ｄ）のようにコース表示部２５ｆのランプｆ４が点灯して「毛布」コースに変更され、液体洗剤１５が自動投入されるのであるが、それでよいのかを使用者に注意を促すとともに、洗剤が投入されないよう洗剤投入表示部２５ｂのランプｂ１を点滅させるようにする。
【００６２】
この図５（ｄ）の状態で一定時間（例えば１０秒）経過したなら、図５（ｅ）のようにコース表示部２５ｆのランプｆ４が点灯した「毛布」コースのままで、洗剤投入表示部２５ｂは液体洗剤１５を自動投入するようランプｂ１が点灯した状態になる。
【００６３】
これは、使用者に対して注意を与えた後、使用者が設定変更しなければ設定を確定して設定状況をよりわかりやすく表示するためである。
【００６４】
この図５（ｄ）または（ｅ）の状態でスタート／一時停止スイッチ２４ｇを押すと、液体洗剤１５は自動投入されて「毛布」コースの運転が始まる。また、図５（ｄ）、（ｅ）の状態で、使用者が液体洗剤１５を自動投入させたくないと考えるなら、この状態で洗剤投入設定スイッチ２４ｂを押すと、図５（ｆ）のようにコース表示部２５ｆのランプｆ４が点灯した「毛布」コースのままで、洗剤投入表示部２５ｂは液体洗剤１５を自動投入しないようランプｂ１〜３が消灯した状態になる。この図５（ｆ）の状態でスタート／一時停止スイッチ２４ｇを押すと、液体洗剤１５は自動投入されずに「毛布」コースの運転が始まる。
【００６５】
このように、羽毛毛布のように弱アルカリ洗剤で洗うと縮みなどの不具合が発生する可能性のある場合には、図５（ｄ）のように「毛布」コースを選んだ時に液体洗剤１５を自動投入してもよいかどうか確認させるために使用者の注意を引くようにランプを点滅させることで、液体洗剤１５の自動投入による衣類の縮みなどの不具合の発生の確率を少なくすることができる。
【００６６】
また、羽毛毛布でない通常の毛布の時には、液体洗剤１５を自動投入した方がいいので、図５の（ｄ）、（ｆ）から（ｅ）へと液体洗剤が自動投入するよう設定を変更することができる。
【００６７】
ところで、表示手段２５のランプを点滅させるということは、よく用いられる方法である。例えば運転中の進行表示の目的で、洗い中は洗い時間表示部２５ｃのランプを点滅させたり、すすぎ中はすすぎ回数表示部２５ｄのランプを点滅させることは現在の洗濯機でよく用いられている。この場合のランプの点滅は特に使用者に注意をよびかけるものではないので、点灯０．４秒・消灯０．４秒程度のゆっくりした周期の点滅である。
【００６８】
しかし、図５（ｄ）の状態での洗剤投入表示部２５ｂのランプｂ１の点滅周期は、使用者に液体洗剤を自動投入してもいいかどうかの注意を促すためのものであるから、点灯０．２秒・消灯０．２秒程度の通常よりも速い周期の点滅が注意を呼びかける意味で有効である。
【００６９】
また、図５（ｄ）の状態で洗剤投入表示部２５ｂのランプｂ１が点滅するのと同時に、ブザー３０を鳴らすようにすれば、さらに明確に、且つ確実にしかも離れた使用者に液体洗剤を自動投入してもいいかどうかの注意をよびかけることができる。
【００７０】
（実施の形態３）
図６は、本発明の第３の実施の形態における洗濯機の洗剤投入表示部、コース設定スイッチ、コース表示部を示す図である。なお、上記実施の形態と同一部分については同一符号を付してその説明を省略する。
【００７１】
例えば、電源入スイッチ２４ｈにより電源を投入した時、図６（ａ）のように洗剤投入表示部２５ｂは「洗剤Ａ」が投入されるようランプｂ１だけが点灯しており、コース表示部２５ｆのランプｆ１が点灯して「おまかせ」コースに設定されているとする。この状態で、コース設定スイッチ２４ｆを押すと、図６（ｂ）のようにコース表示部２５ｆのランプｆ２が点灯して「ハイスピード」コースに変更され、洗剤投入表示部２５ｂは変化せず「洗剤Ａ」が投入されるようランプｂ１が点灯した状態になる。この状態で、さらにコース設定スイッチ２４ｆを押すと、図６（ｃ）のようにコース表示部２５ｆのランプｆ３が点灯して「ゴシゴシ」コースに変更され、洗剤投入表示部２５ｂは「洗剤Ａ」を「多め」に投入するようランプｂ１とランプｂ３が点灯した状態になる。
【００７２】
ここまでの動作は、上記第１の実施の形態と同じである。
【００７３】
この状態で、さらに設定スイッチ２４ｆを押すと、図６（ｄ）のコース表示部２５ｆのランプｆ４が点灯して「毛布」コースに変更され、洗剤投入表示部２５ｂのランプｂ１が点灯した状態と、図６（ｅ）の洗剤投入表示部２５ｂのランプｂ１〜ｂ３が点灯した状態とを交互に繰り返すようにする。これは「毛布」コースに変更され、液体洗剤１５が自動投入されるのであるが、それでよいのかを使用者に注意を促すためである。
【００７４】
この図６（ｄ）と（ｅ）とが交互に繰り返している状態で一定時間（例えば１０秒）経過したなら、図６（ｆ）のようにコース表示部２５ｆのランプｆ４が点灯した「毛布」コースのままで、洗剤投入表示部２５ｂは液体洗剤１５を自動投入するようランプｂ１が点灯した状態になる。これは、使用者に対して注意を与えた後、使用者が設定変更しなければ設定を確定して設定状況をよりわかりやすく表示するためである。
【００７５】
この図６（ｄ）、（ｅ）、（ｆ）の状態でスタート／一時停止スイッチ２４ｇを押すと、液体洗剤１５は自動投入されて「毛布」コースの運転が始まる。
【００７６】
また、図６（ｄ）、（ｅ）、（ｆ）の状態で、使用者が液体洗剤１５を自動投入したくないと考えるなら、この状態で洗剤投入設定スイッチ２４ｂを押すと、図６（ｇ）のようにコース表示部２５ｆのランプｆ４が点灯した「毛布」コースのままで、洗剤投入表示部２５ｂは液体洗剤１５を自動投入しないようランプｂ１〜３の全てが消灯した状態になる。この図６（ｇ）の状態でスタート／一時停止スイッチ２４ｇを押すと、液体洗剤１５は自動投入されずに「毛布」コースの運転が始まる。
【００７７】
このように、羽毛毛布のように弱アルカリ洗剤で洗うと縮みなどの不具合が発生する可能性のある場合には、図６（ｄ）、（ｅ）のように「毛布」コースを選んだ時に液体洗剤１５を自動投入してもよいかどうかを使用者に注意を引くようランプを交互に点灯させることにより、液体洗剤１５の自動投入により羽毛毛布類が縮んでしまうといった不具合が起きる確率を少なくすることができる。
【００７８】
また、羽毛毛布でない通常の毛布の時には、液体洗剤を自動投入した方がいいので、図６の（ｄ）、（ｅ）、（ｇ）から（ｆ）へと液体洗剤が自動投入するよう設定を変更することができる。
【００７９】
なお、第２の実施の形態と同様に、図６（ｄ）と（ｅ）の表示を交互に繰り返す周期を、通常の点滅周期よりも速くすると注意を呼びかける意味で有効であるし、（ｄ）と（ｅ）の状態で、ブザー３０を鳴らすようにすれば、さらに確実に使用者に液体洗剤１５を自動投入してもいいかどうかの注意を促すことができる。
【産業上の利用可能性】
【００８０】
以上のように、本発明にかかる洗濯機は、衣類が不適切な液体洗剤で洗濯される事が無く、使用勝手の良いもので、柔軟剤や漂白剤等を自動投入するようにした各種自動洗濯機や、液体、粉体、粒体などを自動供給する装置を備えた各種機器にも適用できる。
【図面の簡単な説明】
【００８１】
【図１】本発明の実施の形態１における洗濯機のブロック回路図
【図２】同洗濯機の操作表示部の正面図
【図３】（ａ）〜（ｅ）同洗濯機の洗剤投入表示部の正面図
【図４】（ａ）〜（ｅ）同洗濯機の洗剤投入表示部とコース表示部の正面図
【図５】（ａ）〜（ｆ）本発明の実施の形態２における洗濯機の洗剤投入表示部とコース表示部の正面図
【図６】（ａ）〜（ｇ）本発明の実施の形態３における洗濯機の洗剤投入表示部とコース表示部の正面図
【図７】従来の洗濯機の断面図
【符号の説明】
【００８２】
１  洗濯兼脱水層
１５  液体洗剤
１６  洗剤タンク
１８  エアポンプ（投入手段）
２１  制御装置
２２  制御手段
２４  入力設定手段
【図１】
2005224271.tif 000003
【図２】
2005224271.tif 000004
【図３】
2005224271.tif 000005
【図４】
2005224271.tif 000006
【図５】
2005224271.tif 000007
【図６】
2005224271.tif 000008
【図７】
2005224271.tif 000009